(57)【要約】【課題】画鋲を紛失し難く、かつ、掲示物の表示領域を狭めることなく掲示物を被掲示部に固定可能な掲示物固定部材を提供する。【解決手段】固定物保持部材２００に、画鋲１００を保持する画鋲保持部３００と、掲示物を着脱可能に保持する掲示物保持部４００と、屈曲可能に構成され画鋲保持部３００および掲示物保持部４００を連結する連結部５００とを備えた。固定物保持部材２００の画鋲保持部３００に、画鋲１００を保持させることにより掲示物固定部材６００を構成した。画鋲１００の画鋲針を、掲示物を介して掲示板に突き刺すことにより掲示物を掲示板に固定する。【選択図】            図２
2004354667.tif 000002
【特許請求の範囲】
【請求項１】
掲示物を着脱可能に保持する掲示物保持部と、
画鋲を保持する画鋲保持部と、
折曲および屈曲のうちの少なくともいずれか一方が可能に構成され前記掲示物保持部および前記画鋲保持部を連結する連結部と、
を具備したことを特徴とした固定物保持部材。
【請求項２】
請求項１に記載の固定物保持部材であって、
前記掲示物保持部は、掲示物保持粘着部を備え、
この掲示物保持部は、前記掲示物保持粘着部に前記掲示物を粘着させることにより、前記掲示物を着脱可能に保持する
ことを特徴とした固定物保持部材。
【請求項３】
請求項１または請求項２に記載の固定物保持部材であって、
前記掲示物保持部は、前記掲示物が押し付けられる掲示物被押付部と、前記掲示物を前記掲示物被押付部に押し付ける掲示物押付部と、を備えた
ことを特徴とした固定物保持部材。
【請求項４】
請求項３に記載の固定物保持部材であって、
前記掲示物押付部は、前記掲示物に当接される押付部材と、この押付部材を前記被押付部に押し付ける付勢部材と、を備えた
ことを特徴とした固定物保持部材。
【請求項５】
請求項４に記載の固定物保持部材であって、
前記掲示物被押付部および前記押付部材のうちの少なくとも一方は摩擦力を有し、
前記掲示物保持部は、前記付勢手段にて前記押付部材を前記掲示物を介して前記掲示物被押付部に押し付けたときに前記掲示物と前記掲示物被押付部または前記押付部材との間に生じる前記摩擦力により、前記掲示物を着脱可能に保持する
ことを特徴とした固定物保持部材。
【請求項６】
請求項４または請求項５に記載の固定物保持部材であって、
前記掲示物被押付部および前記押付部材のうちの少なくとも一方は弾性力を有し、
前記掲示物保持部は、前記付勢手段にて前記押付部材を前記掲示物を介して前記掲示物被押付部に押し付けたときに前記掲示物に加わる、前記弾性力を有する前記掲示物被押付部または前記押付部材の復元力により、前記掲示物を着脱可能に保持する
ことを特徴とした固定物保持部材。
【請求項７】
請求項１ないし請求項６のいずれかに記載の固定物保持部材であって、
前記連結部は、折曲または屈曲された状態を保持する状態保持部材を備えた
ことを特徴とした固定物保持部材。
【請求項８】
請求項１ないし請求項７のいずれかに記載の固定物保持部材であって、
前記画鋲は、画鋲針および画鋲頭部を有し、
前記画鋲保持部は、前記画鋲頭部を係合可能に保持する画鋲頭部係合部を備えた
ことを特徴とした固定物保持部材。
【請求項９】
請求項８に記載の固定物保持部材であって、
前記画鋲頭部係合部は、前記画鋲保持部に形成された溝である
ことを特徴とした固定物保持部材。
【請求項１０】
請求項９に記載の固定物保持部材であって、
前記画鋲保持部は、弾性力を有し、
この画鋲保持部は、前記溝が弾性変形させられて前記画鋲頭部を係合することにより前記画鋲を保持する
ことを特徴とした固定物保持部材。
【請求項１１】
請求項１ないし請求項７のいずれかに記載の固定物保持部材であって、
前記画鋲は、画鋲針および画鋲頭部を有し、
前記画鋲保持部は、変形可能な材料により形成され、
この画鋲保持部は、変形させられた部分において前記画鋲針または前記画鋲頭部のうちの少なくとも一方を保持することにより前記画鋲を保持する
ことを特徴とした固定物保持部材。
【請求項１２】
請求項１ないし請求項１１のいずれかに記載の固定物保持部材であって、
前記画鋲は、画鋲針および画鋲頭部を有し、
前記画鋲保持部は、弾性力を有するとともに前記画鋲針が貫通可能な材料により形成された被貫通部を備え、
この画鋲保持部は、前記被貫通部における前記画鋲針が貫通された部分の復元力により前記画鋲を保持する
ことを特徴とした固定物保持部材。
【請求項１３】
請求項１ないし請求項１２のいずれかに記載の固定物保持部材であって、
前記画鋲は、画鋲針および画鋲頭部を有し、
前記画鋲保持部は、前記画鋲針を前記画鋲保持部に対して位置決めする画鋲針位置決め部を備えた
ことを特徴とした固定物保持部材。
【請求項１４】
請求項１ないし請求項１３のいずれかに記載の固定物保持部材であって、
前記画鋲保持部は、画鋲保持粘着部を備え、
この画鋲保持部は、前記画鋲保持粘着部に前記画鋲を粘着させることにより前記画鋲を保持する
ことを特徴とした固定物保持部材。
【請求項１５】
請求項１または請求項７のいずれかに記載の固定物保持部材の前記連結部の一部に前記画鋲が一体的に形成された
ことを特徴とした掲示物固定部材。
【請求項１６】
請求項１ないし請求項１４のいずれかに記載の固定物保持部材と、
前記画鋲保持部に保持された画鋲と、
を具備したことを特徴とした掲示物固定部材。
【請求項１７】
請求項１５または請求項１６に記載の掲示物固定部材を用いて、掲示物を被掲示部に固定する掲示物固定方法であって、
前記画鋲は、画鋲針および画鋲頭部を有し、
前記連結部を折曲または屈曲させ、前記掲示物保持部に前記掲示物の一部を保持させるとともに、前記画鋲針を前記掲示物の前記一部以外の部分を介して前記被掲示部に突き刺すことにより、前記掲示物を前記被掲示部に固定する
ことを特徴とする掲示物固定方法。
【発明の詳細な説明】
【０００１】
【発明の属する技術分野】
本発明は、掲示物を掲示板などの被掲示部に固定するための固定物保持部材、掲示物固定部材、および、掲示物固定方法に関する。
【０００２】
【従来技術】
従来、掲示物を掲示板などの被掲示部に固定するための掲示物固定部材が知られている。（特許文献１ないし特許文献３参照）
【０００３】
特許文献１の掲示物固定部材は、画鋲頭部および画鋲針を有する画鋲と、両面に粘着層が設けられたシート部材とを備えている。シート部材は、一方の面の粘着層により、画鋲頭部の画鋲針が設けられていない面に貼り付けられている。また、シート部材の他方の面には、粘着層を剥離可能に被覆する状態で剥離シートが取り付けられている。この掲示物固定部材は、画鋲針が掲示板に突き刺された後、接着層を被覆する剥離シートが剥離される。そして、露わになった画鋲頭部の粘着層に、掲示物の裏面が貼り付けられることにより掲示物が掲示板に固定される。
【０００４】
特許文献２の掲示物固定部材は、画鋲頭部および画鋲針を有する画鋲と、両面に粘着層が設けられたシート部材とを備えている。シート部材は、一方の面の粘着層により、画鋲頭部の画鋲針が設けられている面に貼り付けられている。そして、シート部材の他方の面には、粘着層を剥離可能に被覆する剥離シートが取り付けられている。この掲示物固定部材は、接着層を被覆する剥離シートが剥離された後、画鋲針が掲示物の表面側から突き刺され、露わになった粘着層に掲示物の表面が貼り付けられる。そして、画鋲針が掲示板に突き刺されることにより掲示物が掲示板に固定される。
【０００５】
特許文献３の掲示物固定部材は、画鋲針と、画鋲針が貫通可能な画鋲保持部と、一方の面に粘着層が設けられた掲示物保持部と、画鋲保持部および掲示物保持部を連結する連結部とを備えている。この掲示物固定部材は、画鋲保持部が掲示物の面外に設けられるように、掲示物保持部の粘着層に掲示物の表面が貼り付けられる。そして、画鋲保持部に画鋲針が掲示物の表面側から突き刺され、この画鋲針が画鋲保持部を貫通して掲示板に突き刺されることにより、掲示物が掲示板に固定される。
【０００６】
【特許文献１】
特開平８−９０９９６号公報（第２頁右欄−第３頁左欄）
【特許文献２】
特開平９−１１６９６号公報（第２頁右欄−第２頁左欄）
【特許文献３】
実開平１−２１８３８号公報（第１頁左欄−第２頁右欄）
【０００７】
【発明が解決しようとする課題】
しかしながら、特許文献１の掲示物固定部材を用いて掲示物を掲示板に固定するときには、掲示板に固定された掲示物固定部材の画鋲頭部の粘着層に掲示物を貼り付ける構成、すなわち、画鋲頭部と掲示板との間に掲示物を介在させない構成を採っている。このため、掲示物が掲示板から外れて床に落下した場合に、画鋲針を掲示物に突き刺し貫通させて掲示物を掲示板に固定する構成、すなわち、画鋲針が掲示物における画鋲針が貫通されている部分においても保持される構成と比べて画鋲針が掲示物から外れやすい。したがって、掲示物固定部材すなわち画鋲を紛失し易いという問題が一例として挙げられる。また、例えば掲示物固定部材が使い回されることにより粘着層の粘着力が落ちた場合には、粘着層により掲示物を保持できなくなり、掲示物固定部材としての機能を損失するという問題も一例として挙げられる。
【０００８】
特許文献２の掲示物固定部材を用いて掲示物を掲示板に固定するときには、掲示物に画鋲針を突き刺し掲示物の表面を掲示物固定部材の粘着層に貼り付けた後に、画鋲針を掲示板に突き刺す。このため、例えば掲示物固定部材が使い回されることにより粘着層の粘着力が落ちた場合には、例えば掲示物が掲示板から外れて床に落下したときに、掲示物の表面が掲示物固定部材の粘着層から剥がれ画鋲が掲示物から外れやすい。したがって、掲示物固定部材すなわち画鋲を紛失し易いという問題が一例として挙げられる。また、粘着層の粘着力が一度落ちてしまうと、上述したような問題が生じるため使い回しをし難いという問題も一例として挙げられる。
【０００９】
特許文献３の固定物保持部材を用いて掲示物を掲示板に固定するときには、固定物保持部材を、画鋲保持部が掲示物の面外に設けられるように掲示物に取り付ける必要があり、掲示物をこの掲示物よりも小さい掲示板に固定できない。このような問題を解決するために、固定物保持部材の掲示物保持部を、画鋲保持部が掲示物の面内に設けられるように掲示物に貼り付ける方法が考えられる。しかし、このようにすると、連結部により掲示物の表面が隠され掲示物の表示領域が狭くなるという問題が一例として挙げられる。
【００１０】
本発明は、このような点に鑑みて、画鋲を紛失し難く、かつ、掲示物の表示領域を狭めることなく掲示物を被掲示部に固定可能な固定物保持部材、掲示物固定部材、および、掲示物固定方法を提供することを目的とする。
【００１１】
【課題を解決するための手段】
請求項１に記載の発明は、掲示物を着脱可能に保持する掲示物保持部と、画鋲を保持する画鋲保持部と、折曲および屈曲のうちの少なくともいずれか一方が可能に構成され前記掲示物保持部および前記画鋲保持部を連結する連結部と、を具備したことを特徴とした固定物保持部材である。
【００１２】
請求項１５に記載の発明は、請求項１または請求項７のいずれかに記載の固定物保持部材の前記連結部の一部に前記画鋲が一体的に形成されたことを特徴とした掲示物固定部材である。
【００１３】
請求項１６に記載の発明は、請求項１ないし請求項１４のいずれかに記載の固定物保持部材と、前記画鋲保持部に保持された画鋲と、を具備したことを特徴とした掲示物固定部材である。
【００１４】
請求項１７に記載の発明は、請求項１５または請求項１６に記載の掲示物固定部材を用いて、掲示物を被掲示部に固定する掲示物固定方法であって、前記画鋲は、画鋲針および画鋲頭部を有し、前記連結部を折曲または屈曲させ、前記掲示物保持部に前記掲示物の一部を保持させるとともに、前記画鋲針を前記掲示物の前記一部以外の部分を介して前記被掲示部に突き刺すことにより、前記掲示物を前記被掲示部に固定することを特徴とする掲示物固定方法である。
【００１５】
【発明の実施の形態】
以下に、本発明の一実施の形態を図面に基づいて説明する。図１は、画鋲の概略構成を示す模式図であり、（Ａ）は画鋲の側面図であり、（Ｂ）は画鋲の平面図である。図２は、本実施の形態における固定物保持部材の概略構成を示す模式図である。図３は、画鋲を画鋲保持部に保持させる方法を示す模式図で、（Ａ）は画鋲の画鋲頭部と画鋲保持部の画鋲頭部当接部とを当接させる動作を示す正面図で、（Ｂ）は画鋲を画鋲保持部に保持させる動作を示す正面図で、（Ｃ）は画鋲を画鋲保持部に保持させた状態を示す正面図で、（Ｄ）は画鋲を画鋲保持部に保持させた状態を示す側面図である。図４は、掲示物を掲示物保持部に保持させる方法を示す模式図であり、（Ａ）は掲示物を掲示物保持部の掲示物挿入部に挿入する動作を示す側面図で、（Ｂ）は掲示物を掲示物挿入部に挿入した状態を示す側面図で、（Ｃ）は掲示物を掲示物保持部に保持させる動作を示す側面図で、（Ｄ）は掲示物を掲示物保持部に保持させた状態を示す側面図である。図５は、掲示物固定部材を用いた掲示物の固定方法を示す模式図で、（Ａ）は掲示物固定部材を用いて掲示物を固定した状態を示す正面図で、（Ｂ）は掲示物固定部材を用いて掲示物を固定した他の状態を示す正面図で、（Ｃ）は（Ａ）の状態から掲示物が落下したときの状態を示す斜視図である。
【００１６】
（画鋲の構成）
まず、本実施の形態における固定物保持部材に保持される画鋲の概略構成について説明する。図１（Ａ）において、１００は画鋲であり、この画鋲１００は、画鋲頭部１１０と、画鋲針１２０と、を備えている。
【００１７】
画鋲頭部１１０は、画鋲１００が例えば掲示板に固定されるときに押されたり、画鋲１００が掲示板から外されるときに引っ張られる部分である。そして、この画鋲頭部１１０は、金属性の材料により略円板状に形成されている。なお、ここでは、画鋲頭部１１０が金属性の材料により形成されている構成について例示したが、これに限らず例えばプラスチックなどの他の材料から形成される構成としてもよい。また、画鋲頭部１１０の形状を略円板状とした構成について例示したが、これに限らず例えば円板状の部材の表面に略球状の部材を結合させた構成などとしてもよい。
【００１８】
画鋲針１２０は、画鋲１００が例えば掲示板に固定されるときに掲示板に突き刺される部分である。画鋲針１２０は、金属製の材料により、図１（Ａ），（Ｂ）に示すように、断面略円形の長線状の形状に形成されている。この画鋲針１２０は、画鋲頭部の一方の面の略中央に、かつ、この一方の面と略直交する方向に突出するように設けられている。そして、この画鋲針１２０の先端は、鋭く尖った形状に形成されている。なお、ここでは、画鋲針１２０が金属製の材料により形成されている構成について例示したが、これに限らず例えばプラスチックなどの他の材料から形成される構成としてもよい。また、画鋲針１２０の形状を断面略円形の長線状とした構成について例示したが、これに限らず適宜他の形状としてもよい。
【００１９】
（固定物保持部材の構成）
次に、本発明の実施の形態における固定物保持部材の概略構成について説明する。図２において、２００は、固定物保持部材であり、この固定物保持部材２００は、画鋲保持部３００と、掲示物保持部４００と、連結部５００と、などを備えている。なお、画鋲１００および固定物保持部材２００により、本発明の掲示物固定部材６００が構成される。
【００２０】
画鋲保持部３００は、画鋲１００を保持する。この画鋲保持部３００は、例えば弾性材料のシリコンゴムにより平面略Ｄ字状の平板形状に形成されている。そして、この画鋲保持部３００は、画鋲頭部当接部３１０と、画鋲頭部係合部３２０と、画鋲頭部係合部３３０と、基端部３４０と、画鋲頭部固定部３５０と、画鋲頭部固定部３６０と、などを備えている。なお、ここでは、画鋲保持部３００をシリコンゴムにより形成した構成について例示したが、これに限らず例えばエラストマ材やプラスチックなどの材料で形成してもよい。また、画鋲保持部３００の形状を平面略Ｄ字状の平板形状とした構成について例示したが、これに限らず適宜他の形状としてもよい。
【００２１】
画鋲頭部当接部３１０は、画鋲頭部１１０の裏面が当接する部分である。この画鋲頭部当接部３１０は、画鋲保持部３００における略Ｄ字の曲線部の頂点近傍から略Ｄ字の略中央にかけての部分である。そして、この画鋲頭部当接部３１０は、略Ｄ字の曲線部の頂点近傍から略Ｄ字の略中央にかけて、かつ、画鋲頭部当接部３１０を２等分するように設けられた画鋲針位置決め部としての画鋲針挿通部３１０Ａを備えている。この画鋲針挿通部３１０Ａは、画鋲保持部３００に対する画鋲針１２０の位置決めをするものである。そして、この画鋲針挿通部３１０Ａは、画鋲保持部３００が切り込まれることより形成されている。なお、ここでは、画鋲針挿通部３１０Ａを、画鋲頭部当接部３１０における略Ｄ字の曲線部の頂点近傍から略Ｄ字の略中央にかけて設けた構成について例示したが、これに限らず例えば略Ｄ字の略中央に画鋲針１２０と略同一形状の孔を設けた構成などとしてもよい。
【００２２】
画鋲頭部係合部３２０は、画鋲頭部１１０が係合される部分である。この画鋲頭部係合部３２０は、画鋲保持部３００に形成されたスリット状の溝である。そして、画鋲頭部係合部３２０は、画鋲針挿通部３１０Ａと略平行に、かつ、画鋲針挿通部３１０Ａから所定間隔離れた位置に設けられている。なお、ここでは、画鋲頭部係合部３２０をスリット状の溝により形成した構成について例示したが、これに限らず適宜他の形状としてもよい。
【００２３】
画鋲頭部係合部３３０は、画鋲頭部１１０が係合される部分である。この画鋲頭部係合部３３０は、画鋲保持部３００に形成されたスリット状の溝である。そして、画鋲頭部係合部３３０は、画鋲針挿通部３１０Ａと略平行に、かつ、画鋲針挿通部３１０Ａを挟んで画鋲頭部係合部３２０と略対称の位置に設けられている。
【００２４】
基端部３４０は、連結部５００が結合される部分である。そして、この基端部３４０は、画鋲保持部３００における略Ｄ字の曲線部と略対向する直線部近傍の部分である。
【００２５】
画鋲頭部固定部３５０は、画鋲頭部１１０を画鋲保持部３００に固定する部分である。この画鋲頭部固定部３５０は、画鋲保持部３００における画鋲頭部係合部３２０を挟んで画鋲頭部当接部３１０の反対側の部分である。
【００２６】
画鋲頭部固定部３６０は、画鋲頭部１１０を画鋲保持部３００に固定する部分である。この画鋲頭部固定部３６０は、画鋲保持部３００における画鋲頭部係合部３３０を挟んで画鋲頭部当接部３１０の反対側の部分である。
【００２７】
掲示物保持部４００は、掲示物を保持する。この掲示物保持部４００は、保持部本体４１０と、掲示物押付部としても機能する押付部材４２０と、などを備えている。
【００２８】
保持部本体４１０は、プラスチックなどの材料により１つの角部が略円弧状とされた平面略矩形状の箱形形状に形成されている。なお、ここでは、保持部本体４１０をプラスチックにより形成した構成について例示したが、これに限らず例えばシリコンゴムや金属板などの他の材料で形成してもよい。また、保持部本体４１０の形状を上述したような形状とした構成について例示したが、これに限らず適宜他の形状としてもよい。そして、この保持部本体４１０は、掲示物押付部としても機能する付勢部材としての押付部材ケース４１１と、掲示物被押付部としての被押付部４１２と、などを備えている。
【００２９】
押付部材ケース４１１は、押付部材４２０を移動可能に収容する。この押付部材ケース４１１は、一方の面が開口された断面略コ字状であるとともに、この断面略コ字の１つの角部が略円弧状とされた箱形形状に形成されている。押付部材ケース４１１における断面略コ字の一方の端部を含む直線に相当する面は、結合部４１１Ａとされている。この結合部４１１Ａの表面には、連結部５００が設けられている。また、押付部材ケース４１１における断面略コ字の結合部４１１Ａ以外の部分に相当する面、すなわち押付部材ケース４１１における開口面と略対向する面には、平面部４１１Ｂと、曲面部４１１Ｃと、が形成されている。平面部４１１Ｂは、押付部材ケース４１１における開口面と略対向する面のうちの結合部４１１Ａが設けられている側、すなわち図２における上側に形成されている。曲面部４１１Ｃは、押付部材ケース４１１における開口面と略対向する面のうちの結合部４１１Ａが設けられていない側、すなわち図２における平面部４１１Ｂの下側に形成されている。曲面部４１１Ｃは、この曲面部４１１Ｃにおける平面部４１１Ｂが設けられている側の部分と開口面との距離が、曲面部４１１Ｃにおける平面部４１１Ｂが設けられていない側の部分と開口面との距離よりも長くなるように傾斜した略円弧状に形成されている。なお、以下において、曲面部４１１Ｃにおける平面部４１１Ｂが設けられている側を、曲面部４１１Ｃの基端側と称し、曲面部４１１Ｃにおける平面部４１１Ｂが設けられていない側を、曲面部４１１Ｃの先端側と称する。
【００３０】
被押付部４１２は、平板状に形成されている。この被押付部４１２は、押付部材ケース４１１の開口面と略対向する状態に、かつ、押付部材ケース４１１の開口面から所定間隔離れた状態になるように、押付部材ケース４１１の結合部４１１Ａに結合されている。なお、以下において、押付部材ケース４１１の開口面と被押付部４１２とが形成する空間を、掲示物挿入部４３０と称する。
【００３１】
押付部材４２０は、掲示物を被押付部４１２に押し付けることにより掲示物を保持する。この押付部材４２０は、摩擦力および弾性力を有する例えばシリコンゴムにより略円柱状に形成されている。なお、ここでは押付部材４２０をシリコンゴムで形成した構成について例示したが、これに限らずエラストマ材や、さらには摩擦力や弾性力を有さない例えば金属などの材料により形成してもよい。また、押付部材４２０の形状を略円柱状とした構成について例示したが、これに限らず例えば球形状などとしてもよい。
【００３２】
押付部材４２０は、この押付部材４２０の円周面と、押付部材ケース４１１の平面部４１１Ｂまたは曲面部４１１Ｃとが接するように、押付部材ケース４１１に収容されている。また、押付部材４２０の底面の径は、押付部材ケース４１１の平面部４１１Ｂから被押付部４１２までの距離よりも短く、かつ、押付部材ケース４１１の曲面部４１１Ｃの先端側から被押付部４１２までの距離よりも長く形成されている。このため、押付部材４２０は、連結部５００が上側となるように掲示物保持部４００が保持され、かつ、掲示物挿入部４３０に掲示物が挿入されていない場合には、被押付部４１２と曲面部４１１Ｃにおける円弧方向略中央とで支持される。なお、以下において、上述したように、押付部材４２０が、被押付部４１２と曲面部４１１Ｃにおける円弧方向略中央とで支持されている状態を、押付部材４２０が初期位置にある状態と称する。また、押付部材４２０が初期状態にあるときに、曲面部４１１Ｃにおける円弧方向略中央よりも先端側の部分、すなわち図２における下側の部分と、押付部材４２０との間に形成される領域を隙間部４４０と称する。
【００３３】
連結部５００は、画鋲保持部３００と、掲示物保持部４００と、を連結する。この連結部５００は、屈曲可能な例えばシリコンゴムにより断面略円形の長棒状に形成されている。連結部５００の長手方向一端は、画鋲保持部３００の基端部３４０に取り付けられている。そして、連結部５００の長手方向他端は、掲示物保持部４００の結合部４１１Ａに取り付けられている。なお、ここでは連結部５００をシリコンゴムにより形成した構成について例示したが、これに限らず例えばエラストマ材や綿材料などの他の材料で形成してもよい。また、連結部５００を断面略円形の長棒状に形成した構成について例示したが、これに限らず例えばひも状などとしてもよい。
【００３４】
（画鋲を画鋲保持部に保持させる方法）
次に、画鋲１００を画鋲保持部３００に保持させる方法について、図面に基づいて説明する。まず、図３（Ａ）に示すように、画鋲１００を、画鋲保持部３００における略Ｄ字の曲線部側から画鋲保持部３００方向に移動させる。そして、画鋲針１２０を画鋲針挿通部３１０Ａに挿通させながら、図３（Ｂ）に示すように、画鋲１００を画鋲保持部３００の略中央まで移動させ、画鋲保持部３００に対する画鋲針１２０すなわち画鋲１００の位置決めをする。そして、画鋲頭部１１０の裏面と画鋲保持部３００の画鋲頭部当接部３１０とを当接させる。
【００３５】
この後、図３（Ｂ）に示す矢印Ｍ１のように、画鋲頭部固定部３５０を画鋲保持部３００の面外方向に向けて移動させることにより、画鋲頭部１１０における画鋲針１２０の軸と略直交する方向の一方側の端部近傍を画鋲頭部係合部３２０に係合させる。そして、画鋲保持部３００を形成するシリコンゴムの復元力で画鋲頭部固定部３５０を画鋲保持部３００の中央側に戻すことにより、図３（Ｃ）に示すように、画鋲頭部固定部３５０を画鋲頭部１１０表面上に配置する。同様にして、画鋲頭部固定部３６０を矢印Ｍ２のように移動させることにより、画鋲頭部１１０における画鋲針１２０の軸と略直交する方向の他方側の端部近傍を画鋲頭部係合部３３０に係合させるとともに、画鋲頭部固定部３６０を画鋲頭部１１０表面上に配置する。上述したように、画鋲頭部固定部３５０および画鋲頭部固定部３６０を移動させると、画鋲１００の画鋲頭部１１０は、図３（Ｄ）に示すように、画鋲頭部当接部３１０と、画鋲頭部固定部３５０および画鋲頭部固定部３６０とで挟まれる。この後、画鋲１００を画鋲保持部３００から外す場合には、上述した動作を逆の手順で実施する。
【００３６】
（掲示物を掲示物保持部に保持させる方法）
次に、掲示物保持部４００にシート状の掲示物７００を保持させる方法について、図面に基づいて説明する。
【００３７】
まず、図４（Ａ）に示すように、掲示物７００の端部７１０を掲示物挿入部４３０に挿入して矢印Ｎ１方向に移動させると、掲示物７００の端部７１０と押付部材４２０の円周面とが接触する。この状態からさらに掲示物７００を矢印Ｎ１方向に移動させると、押付部材４２０は、端部７１０により初期位置から押し上げられ、矢印Ｌ１方向に回転しながら曲面部４１１Ｃに沿って移動し始める。
【００３８】
この後、さらに掲示物７００を矢印Ｎ１方向に移動させると、押付部材４２０は、掲示物７００により、矢印Ｌ１方向に回転させられるとともに、曲面部４１１Ｃに沿って連結部５００の方向、すなわち図４（Ａ）における上方向に移動する。そして、図４（Ｂ）に示すように、掲示物７００の表面７２０と押付部材４２０の円周面とが接触する。この後、押付部材４２０は、掲示物７００の表面７２０と押付部材４２０の円周面との接触部分に生じる摩擦力により、掲示物７００の矢印Ｎ１方向への移動に伴い、矢印Ｌ１方向に回転させられながら、曲面部４１１Ｃに沿って図４（Ｂ）における上方向に移動する。
【００３９】
掲示物７００を掲示物保持部４００の結合部４１１Ａの近傍まで移動させた後、掲示物７００を掲示物保持部４００に保持させるために、掲示物７００を矢印Ｎ１方向と逆方向の矢印Ｎ２方向に移動させる。すると、押付部材４２０は、掲示物７００の移動に伴い、掲示物７００により矢印Ｌ２方向に回転させられながら、曲面部４１１Ｃに沿って結合部４１１Ａと逆の方向、すなわち図４（Ｂ）における下方向に移動する。この後、掲示物７００を矢印Ｎ２方向に移動させ続けると、押付部材４２０は下方向に移動し続けやがて初期位置近傍に戻る。そして、押付部材４２０を形成するシリコンゴムは弾性力を有しているので、さらに掲示物７００を矢印Ｎ２方向に移動させると、図４（Ｃ）に示すように、押付部材４２０は、変形しながらも矢印Ｌ２方向に回転させられつつ下方向に移動する。
【００４０】
この後、さらに掲示物７００を矢印Ｎ２方向に移動させ続けると、押付部材４２０は、変形しながらも下方向に移動し続けやがて隙間部４４０に進入する。そして、掲示物７００を矢印Ｎ２方向に移動させることにより、押付部材４２０を隙間部４４０に進入させ続け、図４（Ｄ）に示すように、押付部材４２０が変形不可能な状態まで変形すると、この押付部材４２０を形成するシリコンゴムの復元力により、掲示物７００が被押付部４１２に押し付けられ、掲示物７００を矢印Ｎ２方向に移動させることができなくなる。そして、掲示物７００が、押付部材４２０の復元力で被押付部４１２に押し付けられることにより、掲示物７００は掲示物保持部４００に強固に保持される。この後、掲示物７００を掲示物保持部４００から外す場合には、上述した動作を逆の手順で実施する。
【００４１】
（掲示物固定部材を用いた掲示物の固定方法）
次に、掲示物固定部材を用いた掲示物の固定方法について、図面に基づいて説明する。まず、上述した方法により、画鋲１００を固定物保持部材２００の画鋲保持部３００に保持させることにより、掲示物固定部材６００を構成する。次に、例えば、図５（Ａ）に示すように、連結部５００を略コ字状に屈曲させる。そして、掲示物固定部材６００を、連結部５００が掲示物７００の面外に位置するように、かつ、画鋲保持部３００に保持された画鋲１００が掲示物７００における面内の左上端部近傍に位置するように移動させ、上述した方法により、掲示物保持部４００に掲示物７００の上辺近傍を保持させる。この後、掲示物固定部材６００により保持された掲示物７００を、被掲示部としての掲示板８００の任意の位置に移動させる。そして、画鋲１００の画鋲針１２０を掲示物７００に突き刺し貫通させて、画鋲針１２０の先端近傍を掲示板８００に突き刺すことにより、掲示物７００の左上端部近傍を掲示板８００に固定する。この後、上述した方法により、例えば掲示物７００の図示しない右上端部近傍を掲示板８００に固定することにより、掲示物７００を掲示板８００に固定する。なお、この掲示物固定部材６００を用いて、図５（Ｂ）に示すように、掲示物７０１の上辺略中央に設けられた引掛部６３０が形成する空間に画鋲針１２０を貫通させて、この画鋲針１２０の先端近傍を掲示板８００に突き刺すとともに、掲示物保持部４００に掲示物７０１の上辺左端近傍を保持させることにより、掲示物７０１を掲示板８００に固定してもよい。
【００４２】
上述したような、上記実施の形態では、固定物保持部材２００に、画鋲１００を保持する画鋲保持部３００と、掲示物７００を着脱可能に保持する掲示物保持部４００と、画鋲保持部３００および掲示物保持部４００を連結する連結部５００とを備えた。そして、この固定物保持部材２００の画鋲保持部３００に画鋲１００を保持させることにより、掲示物固定部材６００を構成した。このような構成により、掲示物固定部材６００を用いて、掲示物保持部４００に掲示物７００を保持させるとともに、画鋲保持部３００に保持された画鋲１００の画鋲針１２０を掲示物７００に突き刺し貫通させ掲示板８００に突き刺すことにより、掲示物７００を掲示板８００に固定することができる。このため、掲示物７００が掲示板８００から外れて例えば床に落下したとしても、画鋲針１２０が掲示物７００における画鋲針１２０が貫通されている部分においても保持されているので、掲示物７００から画鋲針１２０が外れ難くなる。また、例えば掲示物７００が床に落下し、例えば図５（Ｃ）に示すように、画鋲針１２０が掲示物７００から外れたとしても、画鋲１００は画鋲保持部３００、連結部５００、掲示物保持部４００により掲示物７００に連結されているので、画鋲１００を紛失することがない。さらに、例えば掲示物７００が床に落下し、掲示物保持部４００が掲示物７００から外れたとしても、上述したように画鋲針１２０が掲示物７００における画鋲針１２０が貫通されている部分においても保持されているので、掲示物固定部材６００が掲示物７００から外れ難くなる。したがって、画鋲１００を紛失し難い掲示物固定部材６００を提供できる。
【００４３】
そして、画鋲保持部３００および掲示物保持部４００を連結する連結部５００を屈曲可能な構成とした。このため、連結部５００を掲示物７００の面外に設けつつ、掲示物保持部４００に掲示物７００を保持させるとともに、画鋲保持部３００により保持された画鋲１００の画鋲針１２０を掲示物７００の表面に突き刺すことにより、掲示物７００を掲示板８００に固定できる。したがって、掲示物７００の表示領域を狭めることなく掲示物７００を掲示板８００に固定できる掲示物固定部材６００を提供できる。
【００４４】
掲示物保持部４００に、掲示物７００が押し付けられる被押付部４１２と、掲示物７００を被押付部４１２に押し付ける掲示物押付部としての押付部材ケース４１１および押付部材４２０とを設けた。このため、押付部材ケース４１１に収容された押付部材４２０で、掲示物７００を被押付部４１２に押し付けるだけの簡単な構成で、掲示物保持部４００に掲示物７００を保持させることができる。また、掲示物７００の表面に粘着や接着などにて保持することによる汚れを防止でき、掲示物７００を良好に保持させることができる。
【００４５】
押付部材ケース４１１における押付部材４２０の円周面と接する部分に、曲面部４１１Ｃを設けた。そして、この曲面部４１１Ｃを、曲面部４１１Ｃの基端側と被押付部４１２との距離が、曲面部４１１Ｃの先端側と被押付部４１２との距離よりも長くなるように傾斜した略円弧状に形成した。さらに、押付部材４２０の底面の径を、押付部材ケース４１１の平面部４１１Ｂから被押付部４１２までの距離よりも短く、かつ、押付部材ケース４１１の曲面部４１１Ｃの先端側から被押付部４１２までの距離よりも長く形成した。このため、押付部材４２０を、押付部材ケース４１１における曲面部４１１Ｃと被押付部４１２との距離が、押付部材４２０の底面の径と略等しくなる位置まで移動させ、掲示物７００を介して被押付部４１２に押し付けることにより、掲示物保持部４００に掲示物７００を保持させることができる。したがって、押付部材４２０を押付部材ケース４１１の内部形状に沿って移動させるだけの簡単な構成で、掲示物保持部４００に掲示物７００を保持させることができる。
【００４６】
押付部材４２０を、摩擦力を有するシリコンゴムで形成した。このため、押付部材４２０を掲示物７００を介して被押付部４１２に押し付けた際に、押付部材４２０と掲示物７００の表面との間に生じる摩擦力により、掲示物７００が掲示物保持部４００に保持される。したがって、押付部材４２０を摩擦力を有さない材料により形成した構成に比べて、掲示物７００をより強固に保持可能な掲示物保持部４００を提供できる。
【００４７】
押付部材４２０を、弾性力を有するシリコンゴムで形成した。このため、押付部材４２０を弾性変形させて掲示物７００を介して被押付部４１２に押し付けた際に、掲示物７００の表面に加わる押付部材４２０の復元力により、掲示物７００が掲示物保持部４００に保持される。したがって、押付部材４２０を弾性力を有さない材料により形成した構成に比べて、掲示物７００をより強固に保持可能な掲示物保持部４００を提供できる。
【００４８】
画鋲保持部３００に、画鋲頭部１１０を係合可能に保持する画鋲頭部係合部３２０，３３０とを設けた。このため、画鋲頭部１１０を画鋲頭部係合部３２０，３３０に係合させるだけの簡単な構成で、画鋲保持部３００に画鋲１００を保持させることができる。
【００４９】
画鋲頭部係合部３２０，３３０を、画鋲保持部３００にスリット状の溝を形成することにより設けた。このため、画鋲保持部３００に、画鋲頭部１１０を係合可能に保持するための他の部材を設ける必要がない。したがって、画鋲保持部３００に溝を形成するだけの簡単な構成で、画鋲保持部３００に画鋲１００を保持させることができる。
【００５０】
画鋲保持部３００を弾性力を有するシリコンゴムにより形成し、この画鋲保持部３００に溝を形成することにより画鋲頭部係合部３２０および画鋲頭部係合部３３０を設けた。このように、画鋲保持部３００をシリコンゴムにより形成したので、画鋲頭部係合部３２０，３３０を形成する作業、および、画鋲頭部１１０に画鋲頭部係合部３２０，３３０を係合させる作業を容易にできる。さらに、画鋲頭部係合部３２０，３３０を変形させて画鋲頭部１１０に係合させた際に、画鋲頭部１１０は、画鋲頭部係合部３２０，３３０を形成する画鋲頭部当接部３１０、画鋲頭部固定部３５０，３６０の復元力により締め付けられる。このため、画鋲保持部３００に画鋲１００をより強固に保持させることができる。
【００５１】
画鋲保持部３００に、画鋲針１２０の位置決めをする画鋲針挿通部３１０Ａを設けた。このため、画鋲保持部３００に対しての画鋲針１２０の位置決め、すなわち画鋲１００の位置決めを容易にでき、画鋲保持部３００に画鋲１００を保持させる作業をより容易にできる。
【００５２】
固定物保持部材２００を構成する画鋲保持部３００、掲示物保持部４００の押付部材４２０、連結部５００をシリコンゴムで形成し、掲示物保持部４００の押付部材ケース４１１をプラスチックで形成した。このように、固定物保持部材２００の各部材を、着色や成型が容易なシリコンゴムやプラスチックで形成したので、意匠性が高い固定物保持部材２００を提供できる。また、シリコンゴムやプラスチックは、健康に害を及ぼすことがなく安全性が高い固定物保持部材２００を提供できる。
【００５３】
［実施の形態の変形］
なお、本発明は、上述した実施の形態に限定されるものではなく、本発明の目的を達成できる範囲で以下に示される変形をも含むものである。
【００５４】
すなわち、画鋲保持部３００の画鋲頭部係合部３２０，３３０を、画鋲針挿通部３１０Ａと略平行となるように設けたが、これに限らず例えば図６（Ａ），（Ｂ），（Ｃ）に示すような構成としてもよい。図６は、本発明の変形例の画鋲保持部に画鋲を保持させる方法を示す模式図で、（Ａ）は画鋲の画鋲頭部と画鋲保持部の画鋲頭部当接部とを当接させる動作を示す正面図で、（Ｂ）は画鋲を画鋲保持部に保持させた状態を示す正面図で、（Ｃ）は画鋲を画鋲保持部に保持させた状態を示す側面図である。
【００５５】
この変形例の画鋲保持部３０１において、画鋲頭部係合部３２１，３３１は、画鋲針挿通部３１１Ａと略直交するように設けられている。このような構成により、図６（Ｂ）および図６（Ｃ）に示すように、画鋲頭部係合部３２１，３３１に画鋲頭部１１０を係合させることにより、画鋲保持部３０１に画鋲１００を保持させることができる。
【００５６】
図７に示すような構成としてもよい。図７は、本発明の変形例の画鋲保持部の概略構成およびこの画鋲保持部に画鋲を保持させた状態を示す模式図で、（Ａ）は画鋲保持部の正面図で、（Ｂ）は画鋲保持部の側面図で、（Ｃ）は画鋲を画鋲保持部に保持させた状態を示す側面図である。
【００５７】
この変形例の画鋲保持部３０２は、図７（Ａ），（Ｂ）に示すように、連結部５１０と、被貫通部としての被貫通部材３７２と、などを備えている。連結部５１０は、例えばシリコンゴムなどの屈曲可能な材料により略矩形平板状に形成されている。被貫通部材３７２は、例えばエラストマ材などの弾性力を有するとともに画鋲針１２０が貫通可能な材料により、平面略Ｄ字状の平板形状に形成されている。そして、この被貫通部材３７２は、連結部５１０の先端側に設けられている。
【００５８】
このような構成において、画鋲保持部３０２に画鋲１００を保持させるときには、図７（Ｃ）に示すように被貫通部材３７２の任意の位置に画鋲針１２０を突き刺す。このとき、画鋲針１２０は、被貫通部材３７２における画鋲針１２０と接触している部分に生じる復元力により締め付けられる。このため、画鋲保持部３０２に、弾性力を有するとともに画鋲針１２０が貫通可能な材料により形成された被貫通部材３７２を設けるだけの簡単な構成で、画鋲保持部３０２に画鋲１００を保持させることができる。
【００５９】
図８に示すような構成としてもよい。図８は、本発明の変形例の画鋲保持部の概略構成およびこの画鋲保持部に画鋲を保持させた状態を示す模式図で、（Ａ）は画鋲保持部の正面図で、（Ｂ）は画鋲保持部の側面図で、（Ｃ）は画鋲を画鋲保持部に保持させた状態を示す側面図である。
【００６０】
この変形例の画鋲保持部３０３は、図８（Ａ），（Ｂ）に示すように、連結部５２０と、被貫通部としての被貫通部材３７３と、などを備えている。連結部５２０は、例えばシリコンゴムなどの屈曲可能な材料により平面略Ｄ字の平板形状に形成されている。そして、この連結部５２０の先端側には、略円形状の嵌合孔５２０Ａが形成されている。被貫通部材３７３は、例えばエラストマ材などの弾性力を有するとともに画鋲針１２０が貫通可能な材料により、略円柱状に形成されている。そして、この被貫通部材３７３は、嵌合孔５２０Ａに嵌合されている。
【００６１】
このような構成において、画鋲保持部３０３に画鋲１００を保持させるときには、図８（Ｃ）に示すように、被貫通部材３７３の任意の位置に画鋲針１２０を突き刺し、図７に示した画鋲保持部３０３における作用と同様の作用により、画鋲保持部３０３に画鋲１００を保持させる。
【００６２】
図９に示すような構成としてもよい。図９は、本発明の変形例の画鋲保持部の概略構成およびこの画鋲保持部に画鋲を保持させた状態を示す模式図で、（Ａ）は画鋲保持部の正面図で、（Ｂ）は画鋲保持部の側面図で、（Ｃ）は画鋲を画鋲保持部に保持させた状態を示す側面図である。
【００６３】
この変形例の画鋲保持部３０４は、図９（Ａ），（Ｂ）に示すように、図８に示した画鋲保持部３０３に画鋲保持粘着部としての粘着部材３８４を設けたものである。粘着部材３８４は、例えば両面に粘着面が設けられた粘着テープである。そして、この粘着部材３８４は、被貫通部材３７３の底面のうちの一方の底面に設けられている。
【００６４】
このような構成において、画鋲保持部３０４に画鋲１００を保持させるときには、図９（Ｃ）に示すように、画鋲保持部３０４における粘着部材３８４が設けられている側の面から被貫通部材３７３の任意の位置に画鋲針１２０を突き刺す。このとき、画鋲頭部１１０の裏面は、粘着部材３８４に貼り付けられる。このため、被貫通部材３７３が画鋲針１２０を締め付ける力に加え、画鋲頭部１１０の裏面が粘着部材３８４に貼り付けられるので、画鋲保持部３０４に画鋲１００をより強固に保持させることができる。
【００６５】
図１０に示すような構成としてもよい。図１０は、本発明の変形例の画鋲保持部の概略構成および画鋲の概略構成および画鋲保持部に画鋲を保持させた状態を示す模式図で、（Ａ）は画鋲保持部の正面図で、（Ｂ）は（Ａ）に示す画鋲保持部の側面図で、（Ｃ）は画鋲保持部に保持させる画鋲の側面図で、（Ｄ）は画鋲を画鋲保持部に保持させた状態を示す側面図である。
【００６６】
この変形例の画鋲保持部３０５は、図１０（Ａ），（Ｂ）に示すように、例えばシリコンゴムなどの材料により平面略Ｄ字の平板形状に形成された連結部５３０の先端側に画鋲頭部係合部３２２を設けたものである。画鋲頭部係合部３２２は、連結部５３０が略円形状に切り抜かれることにより形成されている。この画鋲保持部３０５に保持される画鋲１０１は、図１０（Ｃ）に示すように、首部１１１Ａを有する画鋲頭部１１１と、画鋲針１２１と、を備えている。
【００６７】
このような構成において、画鋲保持部３０５に画鋲１０１を保持させるときには、例えば画鋲１０１の画鋲頭部１１１を、画鋲頭部係合部３２２の形状を変形させながらこの画鋲頭部係合部３２２に押し込む。そして、画鋲頭部１１１の首部１１１Ａを、図１０（Ｄ）に示すように、画鋲頭部係合部３２２に係合させることにより、画鋲保持部３０５に画鋲１０１を保持させる。
【００６８】
図１１に示すような構成としてもよい。図１１は、本発明の変形例の画鋲保持部の概略構成を示す模式図で、（Ａ）は画鋲保持部の正面図で、（Ｂ）は（Ａ）に示す画鋲保持部の側面図である。
【００６９】
この変形例の画鋲保持部３０６は、図１１（Ａ），（Ｂ）に示すように、図１０（Ａ），（Ｂ）に示した画鋲頭部係合部３２２と略同一形状の画鋲頭部係合部３２３と、この画鋲頭部係合部３２３および連結部５４０の外周の一部を連結する画鋲頭部挿入部３０６Ａと、を備えている。このような構成にすれば、画鋲頭部挿入部３０６Ａに画鋲頭部１１１の首部１１１Ａを挿入することにより、画鋲頭部係合部３２３に首部１１１Ａを係合させることができる。このため、画鋲保持部３０６に画鋲１０１を保持させる作業を、画鋲保持部３０５よりもより容易にできる。
【００７０】
図１２に示すような構成としてもよい。図１２は、本発明の変形例の掲示物保持部の概略構成を示す模式図である。
【００７１】
この変形例の掲示物保持部４０１は、図１２に示すように、掲示物押付部としても機能する押付部材４１６と、掲示物被押付部としての被押付部材４２１と、付勢部材としての付勢ばね４１７と、などを備えている。押付部材４１６および被押付部材４２１は、例えばプラスチックなどの材料により略同一形状に形成されている。そして、押付部材４１６および被押付部材４２１は、互いに対向するように設けられ、かつ、これらの上端側に設けられた付勢ばね４１７により互いに接触するように付勢されている。
【００７２】
このような構成において、掲示物保持部４０１に掲示物７００を保持させるときには、押付部材４１６および被押付部材４２１を離間させた後、押付部材４１６および被押付部材４２１の間に掲示物７００を配置する。そして、押付部材４１６および被押付部材４２１を付勢ばね４１７により元の位置に戻すことにより、掲示物保持部４０１に掲示物７００を保持させる。
【００７３】
なお、ここでは、押付部材４１６、被押付部材４２１、付勢手段４１７を別々の部材により構成したが、これに限らず例えば押付部材４１６と被押付部材４２１とを弾性力を有する例えばシリコンゴムにより、押付部材４１６の上端部と被押付部材４２１の上端部とが結合するように形成して付勢ばね４１７を設けない構成としてもよい。
【００７４】
このような構成において、掲示物保持部４０１に掲示物７００を保持させるときには、押付部材４１６および被押付部材４２１を離間させた後、押付部材４１６および被押付部材４２１の間に掲示物７００を配置する。そして、押付部材４１６および被押付部材４２１の結合部に生じる復元力で押付部材４１６および被押付部材４２１を元の位置に戻すことにより、掲示物保持部４０１に掲示物７００を保持させる。
【００７５】
図１３に示すような構成としてもよい。図１３は、本発明の変形例の掲示物保持部の概略構成を示す模式図で、（Ａ）は掲示物保持部の正面図で、（Ｂ）は（Ａ）に示す掲示物保持部の側面図である。
【００７６】
この変形例の掲示物保持部４０２は、例えばシリコンゴムなどの屈曲可能な材料により略矩形平板状に形成された連結部５５０の先端側に、掲示物保持粘着部としての粘着部材４７２を設けたものである。粘着部材４７２は、例えば両面に粘着面が設けられた粘着テープである。そして、この粘着部材４７２は、連結部５５０の一方の面に設けられている。
【００７７】
このような構成において、掲示物保持部４０２に掲示物７００を保持させるときには、掲示物７００の例えば裏面を粘着部材４７２に貼り付ける。このため、連結部５５０に粘着部材４７２を設けるだけの簡単な構成で、掲示物保持部４０２に掲示物７００を保持させることができる。
【００７８】
図１４に示すような構成としてもよい。図１４は、本発明の変形例の掲示物固定部材の概略構成を示す模式図である。
【００７９】
この変形例の掲示物固定部材６０１は、図１４に示すように、例えばシリコンゴムや綿などの材料によりひも状形成された連結部５６０と、画鋲１０２の画鋲頭部１１２とを一体成形したものである。このような構成により、画鋲をより強固に保持する掲示物固定部材を提供できる。
【００８０】
図１５に示すような構成としてもよい。図１５は、本発明の変形例の掲示物固定部材の概略構成を示す模式図である。
【００８１】
この変形例の掲示物固定部材６０２は、図１５に示すように、画鋲１００の画鋲頭部１１０が、連結部５６０に連結された画鋲保持部３０７の内部に設けられるように、画鋲保持部３０７に画鋲１００をインサート成形したものである。このような構成により、画鋲をより強固に保持する掲示物固定部材を提供できる。
【００８２】
図１６に示すような構成としてもよい。図１６は、本発明の変形例の掲示物固定部材の概略構成を示す模式図である。
【００８３】
この変形例の掲示物固定部材６０３は、図１６に示すように、連結部５６０に連結された画鋲保持部３０８と、画鋲１００と、などを備えている。画鋲保持部３０８は、例えばシリコンゴムなどの変形可能な材料により断面略コ字状の略円板状に形成されている。そして、この画鋲保持部３０８に形成された空間領域は、画鋲１００の画鋲頭部１１０が係合される画鋲頭部係合部３２４とされている。
【００８４】
このような構成において、画鋲保持部３０８に画鋲１００を保持させるときには、例えば画鋲１００の画鋲頭部１１０を、画鋲頭部係合部３２４の形状を変形させながらこの画鋲頭部係合部３２４に押し込む。そして、画鋲頭部１１０を画鋲頭部係合部３２４に係合させることにより、画鋲保持部３０８に画鋲１００を保持させる。
【００８５】
なお、ここでは、画鋲保持部３０８を変形可能なシリコンゴムにより形成し、画鋲保持部３０８の画鋲頭部係合部３２４に画鋲頭部１１０を係合させることにより、画鋲保持部３０８に画鋲１００を保持させる構成について例示したが、これに限らず例えば画鋲保持部３０８と画鋲頭部１１０とを２色成形することにより、画鋲保持部３０８に画鋲１００を保持させる構成としてもよい。
【００８６】
掲示物保持部４００における被押付部４１２の押付部材ケース４１１と対向する面に摩擦力を有する材料を設けたり、被押付部４１２自体を摩擦力を有する材料により形成してもよい。このような構成にすれば、掲示物保持部４００と掲示物７００との間に生じる摩擦力により、掲示物保持部４００に掲示物７００をより強固に保持させることができる。
【００８７】
掲示物保持部４００における被押付部４１２の押付部材ケース４１１と対向する面に弾性力を有する材料を設けたり、被押付部４１２自体を弾性力を有する材料により形成してもよい。このような構成にすれば、被押付部４１２の復元力により、掲示物保持部４００に掲示物７００をより強固に保持させることができる。
【００８８】
また、掲示物保持部４００を以下のような構成としてもよい。押付部材４２０に回転軸を設ける。そして、押付部材４２０を、前記回転軸を中心に回転可能に、かつ、回転軸の一端が押付部材ケース４１１から突出するように、押付部材ケース４１１に設ける。このような構成により、掲示物挿入部４３０から掲示物７００を挿入した後、押付部材４２０の回転軸を押付部材ケース４１１の外部から操作し、押付部材４２０を図４（Ｂ），（Ｃ），（Ｄ）に示すように回転させることにより、掲示物保持部４００に掲示物７００を保持させることができる。
【００８９】
さらに、掲示物保持部４００を以下のような構成としてもよい。押付部材４２０に回転軸を設ける。そして、押付部材４２０を、押付部材ケース４１１に前記回転軸を中心に回転可能に設ける。さらに、押付部材ケース４１１に、押付部材４２０の円周面の一部を押付部材ケース４１１の外部に露出させるような露出孔を設ける。このような構成により、掲示物挿入部４３０から掲示物７００を挿入して、押付部材ケース４１１の露出孔から露出された押付部材４２０の円周面を外部から操作し、押付部材４２０を図４（Ｂ），（Ｃ），（Ｄ）に示すように回転させることにより、掲示物保持部４００に掲示物７００を保持させることができる。
【００９０】
画鋲保持部３００を例えば変形可能な金属板で形成し、この金属板を屈曲させることにより、画鋲１００を画鋲保持部３００に保持させる構成としてもよい。
【００９１】
また、画鋲保持部３００を、例えばシリコンゴムなどにより略矩形板状に形成された連結部に粘着部材３８４を設けた構成としてもよい。このような構成にすれば、粘着部材３８４に画鋲頭部１１０の表面を貼り付けることにより、画鋲保持部３００に画鋲１００を保持させることができ、画鋲保持部３００の構成を簡略にできる。
【００９２】
また、連結部５００を、折曲可能な例えば金属板などにより形成してもよい。
【００９３】
連結部５００の例えば内部に、連結部５００の屈曲状態を保持するための状態保持部材を設けてもよい。この状態保持部材としては、例えば針金などが例示できる。このような構成にすれば、状態保持部材により連結部５００の屈曲状態を長い間保持できる。したがって、連結部５００を掲示物７００の掲示場所に対応させた形状に保持させることができ、汎用性が高い固定物保持部材２００を提供できる。
【００９４】
その他、本発明の実施の際の具体的な構造および手順は、本発明の目的を達成できる範囲での他の構造などに適宜変更できる。
【００９５】
［実施の形態の作用効果］
上述したような実施の形態では、固定物保持部材２００に、画鋲１００を保持する画鋲保持部３００と、掲示物７００を着脱可能に保持する掲示物保持部４００と、画鋲保持部３００および掲示物保持部４００を連結する連結部５００とを備えた。そして、この固定物保持部材２００の画鋲保持部３００に画鋲１００を保持させることにより、掲示物固定部材６００を構成した。このような構成により、掲示物固定部材６００を用いて、掲示物保持部４００に掲示物７００を保持させるとともに、画鋲保持部３００に保持された画鋲１００の画鋲針１２０を掲示物７００に突き刺し貫通させ掲示板８００に突き刺すことにより、掲示物７００を掲示板８００に固定することができる。このため、掲示物７００が掲示板８００から外れて例えば床に落下したとしても、画鋲針１２０が掲示物７００における画鋲針１２０が貫通されている部分において保持されているので、掲示物７００から画鋲針１２０が外れ難くなる。また、例えば掲示物７００が床に落下し、さらに画鋲１００が掲示物７００から外れたとしても、画鋲１００は画鋲保持部３００、連結部５００、掲示物保持部４００により掲示物７００に連結されているので、画鋲１００を紛失することがない。したがって、画鋲１００を紛失し難い掲示物固定部材６００を提供できる。そして、画鋲保持部３００および掲示物保持部４００を連結する連結部５００を屈曲可能な構成とした。このため、連結部５００を掲示物７００の面外に設けつつ、掲示物保持部４００に掲示物７００を保持させるとともに、画鋲保持部３００により保持された画鋲１００の画鋲針１２０を掲示物７００の表面に突き刺すことにより、掲示物７００を掲示板８００に固定できる。したがって、掲示物７００の表示領域を狭めることなく掲示物７００を掲示板８００に固定できる掲示物固定部材６００を提供できる。
【図面の簡単な説明】
【図１】画鋲の概略構成を示す模式図である。
（Ａ）：画鋲の側面図
（Ｂ）：画鋲の平面図
【図２】本発明の一実施の形態における固定物保持部材の概略構成を示す模式図である。
【図３】前記一実施の形態における画鋲を画鋲保持部に保持させる方法を示す模式図である。
（Ａ）：画鋲の画鋲頭部と画鋲保持部の画鋲頭部当接部とを当接させる動作を示す正面図
（Ｂ）：画鋲を画鋲保持部に保持させる動作を示すを示す正面図
（Ｃ）：画鋲を画鋲保持部に保持させた状態を示す正面図
（Ｄ）：画鋲を画鋲保持部に保持させた状態を示す側面図
【図４】前記一実施の形態における掲示物を掲示物保持部に保持させる方法を示す模式図である。
（Ａ）：掲示物を掲示物保持部の掲示物挿入部に挿入する動作を示す側面図
（Ｂ）：掲示物を掲示物挿入部に挿入した状態を示す側面図
（Ｃ）：掲示物を掲示物保持部に保持させる動作を示す側面図
（Ｄ）：掲示物を掲示物保持部に保持させた状態を示す側面図
【図５】前記一実施の形態における掲示物固定部材を用いた掲示物の固定方法を示す模式図である。
（Ａ）：掲示物固定部材を用いて掲示物を固定した状態を示す正面図
（Ｂ）：掲示物固定部材を用いて掲示物を固定した他の状態を示す正面図
（Ｃ）：（Ａ）の状態から掲示物が落下したときの状態を示す斜視図
【図６】本発明の変形例の画鋲保持部に画鋲を保持させる方法を示す模式図である。
（Ａ）：画鋲の画鋲頭部と画鋲保持部の画鋲頭部当接部とを当接させる動作を示す正面図
（Ｂ）：画鋲を画鋲保持部に保持させた状態を示す正面図
（Ｃ）：画鋲を画鋲保持部に保持させた状態を示す側面図
【図７】本発明の変形例の画鋲保持部の概略構成およびこの画鋲保持部に画鋲を保持させた状態を示す模式図である。
（Ａ）：画鋲保持部の正面図
（Ｂ）：画鋲保持部の側面図
（Ｃ）：画鋲を画鋲保持部に保持させた状態を示す側面図
【図８】本発明の変形例の画鋲保持部の概略構成およびこの画鋲保持部に画鋲を保持させた状態を示す模式図である。
（Ａ）：画鋲保持部の正面図
（Ｂ）：画鋲保持部の側面図
（Ｃ）：画鋲を画鋲保持部に保持させた状態を示す側面図
【図９】本発明の変形例の画鋲保持部の概略構成およびこの画鋲保持部に画鋲を保持させた状態を示す模式図である。
（Ａ）：画鋲保持部の正面図
（Ｂ）：画鋲保持部の側面図
（Ｃ）：画鋲を画鋲保持部に保持させた状態を示す側面図
【図１０】本発明の変形例の画鋲保持部の概略構成および画鋲の概略構成および画鋲保持部に画鋲を保持させた状態を示す模式図である。
（Ａ）：画鋲保持部の正面図
（Ｂ）：（Ａ）に示す画鋲保持部の側面図
（Ｃ）：画鋲保持部に保持させる画鋲の側面図
（Ｄ）：画鋲を画鋲保持部に保持させた状態を示す側面図
【図１１】本発明の変形例の画鋲保持部の概略構成を示す模式図である。
（Ａ）：画鋲保持部の正面図
（Ｂ）：（Ａ）に示す画鋲保持部の側面図
【図１２】本発明の変形例の掲示物保持部の概略構成を示す模式図である。
【図１３】本発明の変形例の掲示物保持部の概略構成を示す模式図である。
（Ａ）：掲示物保持部の正面図
（Ｂ）：（Ａ）に示す掲示物保持部の側面図
【図１４】本発明の変形例の掲示物固定部材の概略構成を示す模式図である。
【図１５】本発明の変形例の掲示物固定部材の概略構成を示す模式図である。
【図１６】本発明の変形例の掲示物固定部材の概略構成を示す模式図である。
【符号の説明】
１００，１０１，１０２    画鋲
１１０，１１１，１１２    画鋲頭部
１２０，１２１            画鋲針
２００                    固定物保持部材
３００，３０１，３０２，３０３，３０４，３０５，３０６，３０７，３０８画鋲保持部
３１０Ａ，３１１Ａ        画鋲針位置決め部としての画鋲針挿通部
３２０，３２１，３２２，３２３，３２４，３３０，３３１    画鋲頭部係合部
３７２，３７３            被貫通部としての被貫通部材
３８４                    画鋲保持粘着部としての粘着部材
４００，４０１，４０２    掲示物保持部
４１１                    掲示物押付部および付勢部材としても機能する押付部材ケース
４１２                    掲示物被押付部としての被押付部
４１６，４２０            掲示物押付部としても機能する押付部材
４１７                    付勢部材としての付勢ばね
４７２                    掲示物保持粘着部としての粘着部材
５００，５１０，５２０，５３０，５４０，５５０，５６０    連結部
６００，６０１，６０２，６０３    掲示物固定部材
７００，７０１            掲示物
８００                    被掲示部としての掲示板
【図１】
2004354667.tif 000003
【図２】
2004354667.tif 000004
【図３】
2004354667.tif 000005
【図４】
2004354667.tif 000006
【図５】
2004354667.tif 000007
【図６】
2004354667.tif 000008
【図７】
2004354667.tif 000009
【図８】
2004354667.tif 000010
【図９】
2004354667.tif 000011
【図１０】
2004354667.tif 000012
【図１１】
2004354667.tif 000013
【図１２】
2004354667.tif 000014
【図１３】
2004354667.tif 000015
【図１４】
2004354667.tif 000016
【図１５】
2004354667.tif 000017
【図１６】
2004354667.tif 000018